(57)【要約】  【課題】座体が回動する椅子において、必要な構成要素を減少させるための技術を提供する。  【解決手段】椅子１では、ロータリーダンパ６０が、その回転部６２が回転する際の回転軸と、座体２０が回動する際の回動軸とが同一線上になる位置関係で取り付けられている。そのため、座体の回動とロータリーダンパなどのダンパー手段の回転とを、従来のようにリンク機構を介さなくても実現することができる。【選択図】図２
2007330452.tif 000002
【特許請求の範囲】
【請求項１】
それぞれが同一方向に延びており、所定の間隔を空けて配置された一対の支持体と、
交差する２方向に拡がる座面を有し、前記支持体に挟まれた位置関係で、前記座面が前記支持体の延びる方向に交差する方向に沿う使用状態，および，前記座面が前記支持体の延びる方向に沿う収納状態，のそれぞれに変位可能となるように、前記支持体に対して回動可能に前記支持体それぞれに取り付けられた座体と、
前記座体が前記収納状態となる方向に前記座体を付勢する付勢手段と、
前記座体の前記支持体に対する回動を抑制するダンパー手段と、を備え、
前記ダンパー手段は、
本体部から延び出す柱状の回転部が、その延び出す方向に沿って延びる回転軸を中心として回転すると共に、その回転する動作が、前記本体部によって抑制される構成であり、
前記回転部の回転軸が、前記座体が回動する際の回動軸と同一線上になる位置関係で、前記本体部および前記回転部のいずれか一方が前記支持体に取り付けられ、他方が前記座体に取り付けられている
ことを特徴とする椅子。
【請求項２】
前記支持体は、前記座体が取り付けられている領域に凹状の内部空間が形成されており、前記内部空間に、前記付勢手段および前記ダンパー手段が収められている
ことを特徴とする請求項１に記載の椅子。
【請求項３】
前記支持体には、前記支持体表面に沿って前記内部空間を閉鎖可能な形状のカバー部が取り付けられている
ことを特徴とする請求項２に記載の椅子。
【発明の詳細な説明】
【技術分野】
【０００１】
本発明は、支持体に取り付けられた座体が折りたたまれた収納状態，および，その座体に使用者が着席可能な使用状態それぞれへと変位するように構成された椅子に関する。
【背景技術】
【０００２】
従来、ホールなどにおいて、支持体に取り付けられた座体が折りたたまれた収納状態，および，その座体に使用者が着席可能な使用状態それぞれへと変位するように構成された椅子が用いられている。
【０００３】
このような椅子は、座体が支持体に対して回動可能に取り付けられ、この座体における座面が床面と直交する方向に沿う位置関係となるまで座体を回動させることで収納状態となり、また、その座面が床面に沿う位置関係となるまで座体を回動させることで使用状態となるように構成されている。
【０００４】
さらに、この座体は、付勢手段を用いて収納状態となる方向に付勢力を与えられることで、収納状態への変位が自動的に実現されるように構成されることが一般的である。
このような構成の椅子では、座体に付勢力を与えて回動させることで、座体が折りたたまれた収納状態へと変位することとなる。このとき、座体は、収納状態となる方向に付勢されていることから、収納状態となる位置において停止する際、椅子本体（背凭れなど）に衝突して衝突音が発生してしまうという問題があった。
【０００５】
このような問題を解決するために、近年では、椅子にダンパー手段（例えば、ロータリーダンパなど）を取り付けて座体が回動する速度を抑制することで、衝突音の発生を抑制するといったことが行われている。
【０００６】
具体的には、ダンパー手段の本体部を支持体の任意の箇所に取り付けると共に、ダンパー手段の本体部から延び出し本体部に対する回転に抑止力を発する回転部（作動軸）をリンク機構の一端に取り付け、リンク機構の他端を座体に取り付けることによって、座体の回動とダンパー手段の回転とを連動させる構成のものである（特許文献１参照）。
【０００７】
このような構成とすると、ダンパー手段が、リンク機構を介して座体の回動を抑制し、これにより座体が回動する速度が小さくなる結果、座体が収納状態となる位置まで回動して椅子本体に衝突しても、その衝突時の衝突音を小さくすることができる。
【特許文献１】特開平８−２９９０９４号公報
【発明の開示】
【発明が解決しようとする課題】
【０００８】
しかしながら、上述した構成の椅子は、ダンパー手段と座体との連動を、リンク機構を介することで実現しているため、椅子を構成する構成要素が増加すると共に、構成要素の増加に伴って椅子全体を大きくしなければならないという問題があった。
【０００９】
本発明は、上記問題に鑑みてなされたものであり、座体が回動する椅子において、必要な構成要素を減少させるための技術を提供することを目的とする。
【課題を解決するための手段】
【００１０】
上述した問題点を解決するためになされた請求項１記載の発明は、それぞれが同一方向に延びており、所定の間隔を空けて配置された一対の支持体と、交差する２方向に拡がる座面を有し、前記支持体に挟まれた位置関係で、前記座面が前記支持体の延びる方向に交差する方向に沿う使用状態，および，前記座面が前記支持体の延びる方向に沿う収納状態，のそれぞれに変位可能となるように、前記支持体に対して回動可能に前記支持体それぞれに取り付けられた座体と、前記座体が前記収納状態となる方向に前記座体を付勢する付勢手段と、前記座体の前記支持体に対する回動を抑制するダンパー手段と、を備える椅子である。
【００１１】
この椅子における前記ダンパー手段は、本体部から延び出す柱状の回転部が、その延び出す方向に沿って延びる回転軸を中心として回転すると共に、その回転する動作が、前記本体部によって抑制される構成である。
【００１２】
そして、このダンパー手段は、前記回転部の回転軸が、前記座体が回動する際の回動軸と同一線上になる位置関係で、前記本体部および前記回転部のいずれか一方が前記支持体に取り付けられ、他方が前記座体に取り付けられている。
【００１３】
このように構成された椅子では、ダンパー手段が、その回転部が回転する際の回転軸と、座体が回動する際の回動軸とが同一線上になる位置関係で取り付けられ、リンク機構を介さずに座体の回動とダンパー手段の回転との連動を実現することができる。
【００１４】
そのため、従来のようにリンク機構を介してダンパー手段が取り付けられる場合と比べて、椅子を構成する構成要素を少なくすることができ、構成要素の減少による製造コストの削減，および，椅子全体の小型化を実現できる。
【００１５】
また、上述したように、ダンパー手段における回転部の回転軸と座体の回動軸が同一線上になる位置関係であることから、ダンパー手段の回転部による抑制力を直接的に座体へと伝えることができる。そのため、ダンパー手段と座体とがリンク機構を介して連結されている構成と比べて、ダンパー手段から座体へと伝えられる抑制力のロスが小さい。
【００１６】
これにより、ダンパー手段としてロスを考慮した大きな抑制力を有するものを用いなければならなかったり、そのようなロスを考慮して椅子を構成する必要がなくなるため、椅子としての設計の自由度を高くすることができる。
【００１７】
なお、上述したダンパー手段には、周知のロータリーダンパなどを用いればよい。
また、請求項１に記載された構成の椅子は、請求項２に記載されているように、支持体に、前記座体が取り付けられている領域に凹状の内部空間が形成されており、前記内部空間に、前記付勢手段および前記ダンパー手段が納められている構成であってもよい。
【００１８】
このように構成された椅子は、付勢手段およびダンパー手段が支持体の内部空間に納められるので、それらの構成要素が支持体の外部に露出しない位置に配されることとなる。
そのため、それらの構成要素が椅子の外観に現れることを前提に椅子のデザインを行う必要がなくなり、椅子をデザインする際の自由度が高くなる。
【００１９】
さらに、上述した構成の椅子は、上記各構成要素が支持体の内部空間に納められていることによって、外部からの衝撃が加わりにくくなる。その結果、外部からの衝撃により上記構成要素が破損することを防止できる。
【００２０】
ところで、この構成では、支持体に凹状の内部空間が形成されており、この内部空間へといたる開口を介して内部空間に上記各構成要素が収められているため、この開口から内部空間へと上記各構成要素以外のものが侵入してしまう恐れがある。
【００２１】
そのような事態を防止するためには、請求項２に記載された構成の椅子を、請求項３に記載されているように、支持体に、前記支持体表面に沿って前記内部空間を閉鎖可能な形状のカバー部が取り付けられている構成とするとよい。
【００２２】
このように構成された椅子は、付勢手段およびダンパー手段等が納められた状態で、内部空間に繋がる開口がカバー部により塞がれるため、内部空間に上記構成要素以外のもの、例えば体の一部または衣服などが侵入することを防止できる。
【００２３】
それによって、内部空間に上記構成要素以外のものが侵入した状態で座体が回動することを防止できる結果、例えば、体の一部が挟まれて負傷したり、衣服が損傷したりするといったことを防止できると共に、各構成要素が破損することも防止できる。
【発明を実施するための最良の形態】
【００２４】
以下に本発明の実施形態を図面と共に説明する。
（１）全体構成
椅子１は、図１に示すように、所定の間隔を空けて配置された一対の支持体１０（１０Ｒ，１０Ｌ），支持体１０に挟まれた位置関係で各支持体１０に取り付けられた座体２０，座体２０の後方（図１におけるＡ方向；以下同様）端部において各支持体１０に取り付けられた背凭れ３０，および，各支持体１０の上部領域にそれぞれ設けられた肘掛け４０，支持体１０と座体２０との間に介在する取付部５０などからなる。
【００２５】
これらのうち、支持体１０は、左側（図１におけるＬ方向側；以下同様）に配置される支持体１０Ｌ，および，右側（同図Ｒ方向側；以下同様）に配置される支持体１０Ｒからなり、それぞれが床面から上方向に延びるように設けられている。
【００２６】
また、支持体１０Ｒには、図２に示すように、座体２０側に位置する領域に開口を有する凹状の内部空間１４が形成されており、その内部空間１４を塞ぐようにカバー１６が取り付けられている。
【００２７】
また、この座体２０側に位置する領域には、後述するようにロータリーダンパ６０の一部を嵌合させるために形成された矩形の矩形溝１７が形成されている（図３参照）。さらに、その矩形溝１７を取り囲む領域には、座体２０に向けて延出する円筒状の支持筒１８が設けられている（図３参照）。
【００２８】
また、カバー１６は、支持体１０Ｒ表面に沿って、支持体１０Ｒに形成された内部空間１４を閉鎖可能に形成された板状の部品であり、座体２０が回動する際に取付部５０の構成要素が通過する領域にガイド溝１９が形成されている。
【００２９】
また、座体２０は、交差する２方向（図１においてＡ−Ｂ，Ｒ−Ｌ方向）に拡がる座面２２を有している。そして、この座体２０は、座面２２が支持体１０の延びる方向と交差する方向に沿う使用状態（図１（ａ）参照），および，座面２２が支持体１０延びる方向に沿う収納状態（図１（ｂ）参照），のそれぞれに変位可能となるように、各支持体１０に対して回動可能に取り付けられている。
【００３０】
また、背凭れ３０は、座体２０の後端側から後方（Ａ方向）に傾斜する傾斜面を有しており、この傾斜面に使用者が凭れることが可能となっている。
また、肘掛け４０は、各支持体１０から上方に延びる肘掛け支持部１２の上端それぞれに取り付けられている。
【００３１】
また、右側に配置された支持体１０Ｒと座体２０との間に介在する取付部５０は、図２に示すように、座体２０の支持体１０Ｒ側に位置する領域に取り付けられた座受けアーム５２，座受けアーム５２に取り付けられた弦巻バネ５４，座受けアーム５２と支持体１０Ｒの支持筒１８とを連結する位置に配された連結部材５６，および支持筒１８の筒内に取り付けられるロータリーダンパ６０からなる。この取付部５０は、その一部を除いて、カバー１６によってその開口を塞がれた内部空間１４に収められている。
【００３２】
これらのうち、座受けアーム５２は、座体２０の側面に沿って延びる板状部５２ａと、この板状部５２ａの中心領域から支持体１０Ｒに向けて延出する筒状部５２ｂと、からなり、この筒状部５２ｂにおいて、その延出する方向の中心軸が座体２０の回動軸となる。また、この板状部５２ａにおいて、筒状部５２ｂと交差する領域には、後述するロータリーダンパ６０の一部分を嵌合させるために形成された矩形の矩形溝５７が形成されている。
【００３３】
また、弦巻バネ５４は、金属線を円筒状に巻いた形状のバネであり、座受けアーム５２の筒状部５２ｂが弦巻バネ５４の円筒形状の内部を通過する位置関係で、収納状態となる方向へ座体２０を付勢するように、弦巻バネ５４を形成する金属線の端部が座受けアーム５２および支持体１０Ｒにそれぞれ固定されている。
【００３４】
また、連結部材５６は、筒状の部材であって、その内径が、支持体１０Ｒ側から座体２０側に向けて変化しており、座体２０側において狭くなるように構成されている。そして、この連結部材５６は、筒状の部分のうち、座体２０側に位置する外側の領域が、座受けアーム５２における筒状部５２ｂの内部に嵌め込まれており、支持体１０Ｒ側に位置する内側の領域が、支持体１０Ｒにおける支持筒１８の外側に嵌め込まれている（図４（ａ）参照）。
【００３５】
また、ロータリーダンパ６０は、図３に示すように、円柱形の本体部６１，および，本体部６１から延び出す円柱形の回転部６２からなり、その本体部６１において回転部６２が延び出している端部と反対の端部（以降「後端」という）側が、支持体１０Ｒにおける支持筒１８の内側に嵌め込まれている。
【００３６】
また、このロータリーダンパ６０の回転部６２は、その先端側が、少なくとも連結部材５６における狭くなっている内径を通過できる程度の外径となっており、その端部が、連結部材５６の内部を通って座受けアーム５２に到達している。そして、この回転部６２の端部は、座受けアーム５２に形成された矩形溝５７に嵌合可能な形状となっており、これが、その矩形溝５７に嵌め込まれている。
【００３７】
また、このロータリーダンパ６０における本体部６１の後端には、支持体１０Ｒの支持筒１８に形成された矩形溝１７と嵌合可能な形状の嵌合突起６３が形成されており、これが、その矩形溝１７に嵌め込まれている。
【００３８】
このように、ロータリーダンパ６０は、本体部６１が支持体１０Ｒにおける支持筒１８の内側に嵌め込まれ、回転部６２の先端が座受けアーム５２の矩形溝５７にはめ込まれることで、回転部６２が回転する際の回転軸と、座体２０が回動する際の回動軸とが同一線上になる位置関係となっている。
【００３９】
また、このロータリーダンパ６０は、回転部６２の先端および本体部６１の後端がそれぞれ座受けアーム５２の矩形溝５７および支持体１０Ｒの矩形溝１７に嵌合することにより、ロータリーダンパ６０の長さ方向に延びる軸を中心にロータリーダンパ６０全体が回転しないように取り付けられている。
【００４０】
そして、このロータリーダンパ６０は、座受けアーム５２を介して連結された座体２０が回動した場合、この座受けアーム５２の矩形溝５７に回転部６２が嵌合していることから、座体２０の回動に伴って回転部６２が回動することになるが、支持体１０Ｒの矩形溝１７に本体部６１の嵌合突起６３が嵌合しているため、回転部６２の回転に伴って本体部６１までが回転してしまうことはない。つまり、座体２０が回動する際には、ロータリーダンパ６０の回転部６２のみが回転することにより、その座体２０の回動に対して抑制力が働くことになる。
【００４１】
ここで、ロータリーダンパ６０における回転部６２は、本体部６１に対して初期位置から停止位置までの範囲で回転可能となっており、回転部６２が停止位置に近づくにつれて発生する抑制力が大きくなるように構成されたものである。
【００４２】
そして、本実施形態においては、収納状態となる方向に座体２０が回動していくにつれてロータリーダンパ６０の抑制力が強くなるようにロータリーダンパ６０の取り付け位置が調整されている。そのため、座体２０は、使用状態から収納状態への回動を開始した直後よりも、収納状態となる位置付近において相対的にゆっくりと回動することとなる。
【００４３】
なお、ここまでは、支持体１０Ｒ，および，支持体１０Ｒと座体２０との間に介在する取付部５０について説明したが、支持体１０Ｌ，および，支持体１０Ｌと座体２０との間に介在する取付部５０は、図４（ｂ）に示すように、支持体１０Ｒと座体２０との間に介在する取付部５０と左右対称の構成であり、ロータリーダンパ６０が取り付けられていない点で相違するのみであるため、詳細な説明は省略する。
（２）作用，効果
このように構成された椅子１では、ロータリーダンパ６０が、その回転部６２が回転する際の回転軸と、座体２０が回動する際の回動軸とが同一線上になる位置関係で取り付けられている。そのため、座体の回動とロータリーダンパなどのダンパー手段の回転との連動を、従来のようにリンク機構を介さなくても実現することができる。
【００４４】
それにより、従来のようにリンク機構を介して座体の回動とダンパー手段の回転との連動を実現する構成と比べて、椅子を構成する構成要素を少なくすることができ、構成要素の減少による製造コストの削減，および，椅子全体の小型化を実現できる。
【００４５】
さらに、上記の位置関係でロータリーダンパ６０が取り付けられているため、ロータリーダンパ６０の回転部６２による抑制力を直接的に座体２０へと伝えることができる。そのため、ダンパー手段と座体とがリンク機構を介して連結されている構成と比べて、ロータリーダンパ６０から座体２０へと伝えられる抑制力のロスが小さい。
【００４６】
これにより、ダンパー手段としてロスを考慮した大きな抑制力を有するものを用いなければならなかったり、そのようなロスを考慮して椅子を構成する必要がなくなるため、椅子としての設計の自由度を高くすることができる。
【００４７】
また、上述したようにロータリーダンパ６０で座体２０の回動に対して抑制力を伝える構成となっているため、椅子１が収納状態となっているときでも、弦巻バネ５４による付勢力と共に、その抑制力により座体２０自体の重さで椅子１が使用状態側へと変位してしまうことを防止できる。
【００４８】
特に、上記構成では、ロータリーダンパ６０が座体２０に伝える抑制力のロスが小さいため、ロータリーダンパ６０による抑制力を、椅子１が使用状態側へと変位してしまうことを防止するための力として有効に働かせることができる。
【００４９】
このことは、上述したようなリンク機構を介する構成と比べて、弦巻バネ５４などの付勢手段による付勢力が小さくても、椅子１が使用状態側へと変位してしまうことを防止するのに適していることを意味する。その結果、付勢手段として従来よりも付勢力の小さい部材を用いることができる。
【００５０】
また、本実施形態の椅子１は、上述したようにロータリーダンパ６０の取り付け位置が調整されているため、座体２０が使用状態から収納状態へと回動を開始した位置では座体２０は相対的に早く回動し、また、収納状態となる位置付近では座体２０は相対的にゆっくりと回動する。
【００５１】
よって、使用者が椅子１を使用している状態から立ち上がった場合、素早く座体２０が立ち上がり、使用者が立ち上がる際の邪魔にならないようにして、使用者のスムーズな移動が実現できる。
【００５２】
また、本実施形態の椅子１は、座受けアーム５２の一部を除く取付部５０が支持体１０の内部空間１４に収められるので、そのように各構成要素が支持体１０の外部に露出しない位置に配されることとなる。
【００５３】
そのため、それらの構成要素が椅子の外観に現れることを前提に椅子のデザインを行う必要がなくなり、椅子をデザインする際の自由度が高くなる。
さらに、本実施形態の椅子１は、それらの構成要素が支持体１０の内部空間１４に収められていることによって、外部からの衝撃が加わりにくくなる。その結果、外部からの衝撃により上記構成要素が破損することを防止できる。
【００５４】
また、本実施形態の椅子１は、座受けアーム５２の一部を除く取付部５０が収められた状態で、内部空間１４に繋がる開口がカバー１６により塞がれるため、内部空間１４に体の一部または衣服などが入り込むことを防止できる。
【００５５】
それによって、内部空間１４に取付部５０の構成要素以外のものが侵入した状態で座体２０が回動することを防止できる結果、例えば、体の一部が挟まれて負傷したり、衣服が損傷したりするといったことを防止できると共に、各構成要素が破損することも防止できる。
【００５６】
なお、本実施形態においては、支持体１０の内部空間１４をカバー１６で塞ぐことにより、上述したような効果を奏するものとなっているが、このようにカバー１６で内部空間１４を塞ぐことができるのは、上述したようにリンク機構を介さない構成とすることで、部品点数を減少させることができたことによるものである。
【００５７】
リンク機構が備えられていると、座体２０の回動軸周りに存在する部品点数も当然に多くなり、それらの部品が内部空間１４において通過する領域も当然に広くなるため、その内部空間１４を閉鎖するには複雑な形状のカバーを用いなければならなかったり、場合によっては内部空間１４を閉鎖すること自体が困難になる。
【００５８】
ところが、上述したように、部品点数が少なければ、座体２０の回動軸周りに存在する部品も少なくなり、内部空間１４において取付部５０の構成要素が通過する領域も当然に小さくなる結果、内部空間１４を閉鎖するためのカバー１６として簡単な形状のものを用いることができる。
（３）変形例
以上、本発明の実施の形態について説明したが、本発明は、上記実施形態に何ら限定されることはなく、本発明の技術的範囲に属する限り種々の形態をとり得ることはいうまでもない。
【００５９】
例えば、上記実施形態において、ロータリーダンパ６０の回転部６２が嵌合する座受けアーム５２の矩形溝５７，本体部６１の嵌合突起６３が嵌合する支持体１０Ｒの矩形溝１７のうち、一方または両方は、回転部６２および嵌合突起６３とそれぞれ隙間なく嵌合する形状とすればよいが、隙間を有した状態で嵌合する形状としてもよい。
【００６０】
また、上記実施形態においては、座受けアーム５２の矩形溝５７，および，これに嵌合するロータリーダンパ６０の回転部６２の先端が、それぞれ矩形の形状となるように構成されたものを例示した。しかし、これらの形状は、両者が嵌合し、回転部６２による抑制力を座受けアーム５２側に伝えることができる形状であれば、どのような形状であってもよい。
【００６１】
また、上記実施形態においては、支持体１０Ｒの矩形溝１７，および，これに嵌合するロータリーダンパ６０の嵌合突起６３が、それぞれ矩形の形状となるように構成されたものを例示した。しかし、これらの形状は、両者が嵌合し、回転部６２による抑制力を座受けアーム５２を介して座体２０側に伝えることができる形状であれば、どのような形状であってもよい。
【００６２】
また、本実施形態においては、椅子１が単体の椅子として構成されているものを例示したが、椅子１の一部構成を共有することで、複数の椅子が隣接して配置された構成としてもよい。具体的な例としては、椅子１の一方または両方の支持体１０における座体２０と反対側の領域に、取付部５０ａを介して座体２０ａにおける一の側面を取り付け（図５（ａ）参照、ここでは椅子１の支持体１０Ｒの場合を示す）、この座体２０ａにおける他の側面を、別の支持体１０ａ（図示されない）に取り付ける、といった構成が考えられる。
【００６３】
また、上記実施形態においては、支持体１０Ｌと座体２０との間に介在する取付部５０として、支持体１０Ｒと座体２０との間に介在する取付部５０と同様に、ロータリーダンパ６０が取り付けられたものを用いてもよい。
【００６４】
また、上記実施形態において、支持体１０Ｌと座体２０との間に介在する取付部５０としては、図５（ｂ）に示すように、支持体１０Ｒと座体２０との間に介在する取付部５０におけるロータリーダンパ６０の取り付け位置に対応する領域に、ロータリーダンパ６０と同じ形状のものであって、抑制力を発生する機能を有していない軸体７０が取り付けられたものを用いてもよい。
【００６５】
特に、上述のように、複数の椅子が隣接して配置された構成において、軸体７０を用いた場合には、支持体１０においてロータリーダンパ６０および軸体７０が収められる領域に合わせて、これらがピッタリと収まるように軸体７０の形状を自由に変更することができる。これにより、その領域内でロータリーダンパ６０が左右方向に変位してしまうことを効果的に防止することができる。
【図面の簡単な説明】
【００６６】
【図１】本発明の椅子を示す斜視図
【図２】取付部およびその周囲を示す分解斜視図
【図３】支持筒およびロータリーダンパを示す斜視図
【図４】支持体と座体を取り付けた状態を示す断面図
【図５】変形例を示す断面図
【符号の説明】
【００６７】
１…椅子、１０，１０Ｌ，１０Ｒ…支持体、１２…肘掛け支持部、１４…内部空間、１６…カバー、１７，５７…矩形溝、１８…支持筒、１９…ガイド溝、２０，２０ａ…座体、２２…座面、３０…背凭れ、４０…肘掛け、５０，５０ａ…取付部、５２…座受けアーム、５２ａ…板状部、５２ｂ…筒状部、５４…弦巻バネ、５６…連結部材、６０…ロータリーダンパ、６１…本体部、６２…回転部、６３…嵌合突起、７０…軸体。
【図１】
2007330452.tif 000003
【図２】
2007330452.tif 000004
【図３】
2007330452.tif 000005
【図４】
2007330452.tif 000006
【図５】
2007330452.tif 000007